(57)【特許請求の範囲】
【請求項１】
円筒壁と、該円筒壁の下部から半径方向外方に延出する係止フランジとを具備し、該円筒壁は外周面に雄螺条が形成されている雄螺条部、厚肉下部、及び該雄螺条部と該厚肉下部との間に位置する薄肉介在部を含む合成樹脂製スパウトにおいて、
該円筒壁の該薄肉介在部の外周面には、周方向に間隔をおいて複数個のラチェット爪が形成されており、該円筒壁の該薄肉介在部の内周面には、該円筒壁の中心から等角度間隔をおいて放射状に延びる複数個のスポークの外端が接続されている、ことを特徴とする合成樹脂製スパウト。
【請求項２】
該スポークは３乃至６個配設されている、請求項１記載の合成樹脂製スパウト。
【請求項３】
該スポークの外端部は半径方向外側に向かって周方向両側に延出されると共に軸線方向両側に延出されている、請求項１又は２記載の合成樹脂製スパウト。
【請求項４】
該円筒壁は該雄螺条部と該薄肉介在部との間に位置し且つ外周面には環状突条が形成されている突条部を含む、請求項１から３までのいずれかに記載の合成樹脂製スパウト。
【請求項５】
該スポークの各々の主部は下方に向かって漸次幅広になる上側面と下方に向かって漸次幅狭になる下側面とを有する、請求項１から４までのいずれかに記載の合成樹脂製スパウト。
【発明の詳細な説明】
【技術分野】
【０００１】
本発明は、合成樹脂フィルム及び／又は金属箔が積層された厚紙から形成された容器に好適に適用することができる合成樹脂製スパウト（注口栓体）に関する。
【背景技術】
【０００２】
合成樹脂フィルム及び／又は金属箔が積層された厚紙から形成された容器に好適に適用することができるスパウトとして、下記特許文献１には、ポリエチレン或いはポリプロピレンの如き適宜の合成樹脂から形成されたスパウトが開示されている。このスパウトは円筒壁とこの円筒壁の下部から半径方向外方に延出する係止フランジとを具備する。円筒壁にはその軸線方向に見て上方から下方に向かって順次に位置する雄螺条部、突条部、薄肉介在部及び厚肉下部を含んでいる。雄螺条部の外周面には雄螺条が形成され、突条部の外周面には環状突条（周方向に完全に連続して延在する形態と共に周方向に見て局部的に切欠部が存在するが全体として略環状である突条を含む）が形成されている。厚肉下部の内周面には円筒壁の中心から１８０度の角度間隔をおいて放射状に延びる２個のスポークの外端が接続されている。かようなスパウトは、その係止フランジが容器に係止され、その円筒壁が容器に形成されている排出口に対応して位置せしめられて注口を構成する。円筒壁には外蓋が装着される。外蓋は円形天面壁とこの天面壁の周縁から垂下する円筒形スカート壁とを有する。スカート壁の内周面には雌螺条が形成されており、かかる雌螺条を円筒壁の雄螺条部に形成されている雄螺条に螺合することによって円筒壁に外蓋が装着される。天面壁の内面には下方に垂下する環状シール片が形成されており、円筒壁に外蓋が所要とおりに装着されると、シール片が円筒壁の内周面上部に密接され、これによって円筒壁が密封される。
【先行技術文献】
【特許文献】
【０００３】
【特許文献１】特許第４０４８６１０号
【発明の概要】
【発明が解決しようとする課題】
【０００４】
上述したとおりの従来のスパウトには次のとおりの解決すべき問題がある。円筒壁の薄肉介在部にはその外周面及び内周面共に周方向に延びる雄螺条或いは突条が形成されておらず、それ故に円筒壁の他の部分に比べて剛性が小さい。それ故に、円筒壁がその薄肉介在部において容易に傾斜乃至変形され、これによって外蓋による密封が毀損されてしまう虞がある。また、外蓋のスカート壁にタンパーエビデント裾部が付設されており、かかるタンパーエビデント裾部の内周面には周方向に間隔をおいて複数個のラチェット爪が形成されている場合には、円筒壁の薄肉介在部の外周面にも周方向に間隔をおいてラチェット爪が形成され、外蓋のラチェット爪と円筒壁のラチェット爪とが相互に係止せしめられるが、円筒壁の薄肉介在部の剛性が比較的小さいことに起因して薄肉介在部が半径方向内方に変形し、これによってラチェット爪の相互係止が毀損されてしまう傾向がある。
【０００５】
本発明は上記事実に鑑みてなされたものであり、その主たる技術的課題は、スパウトを成形するための必要材料の増加等の別個の問題を発生せしめることなく、円筒壁の薄肉介在部の剛性を増大せしめ、従来のスパウトに存在する上述したとおりの問題を解決することである。
【課題を解決するための手段】
【０００６】
本発明者等は鋭意研究の結果、スポークの外端を円筒壁の厚肉下部の内周面ではなくて薄肉介在部の内周面に接続すると、スポークの存在によって円筒壁の薄肉介在部の剛性が増大せしめられ、上記主たる技術的課題が達成することができることを見出した。
【０００７】
即ち、本発明によれば、上記主たる技術的課題を達成するスパウトとして、円筒壁と、該円筒壁の下部から半径方向外方に延出する係止フランジとを具備し、該円筒壁は外周面に雄螺条が形成されている雄螺条部、厚肉下部、及び該雄螺条部と該厚肉下部との間に位置する薄肉介在部を含む合成樹脂製スパウトにおいて、
該円筒壁の該薄肉介在部の外周面には、周方向に間隔をおいて複数個のラチェット爪が形成されており、該円筒壁の該薄肉介在部の内周面には、該円筒壁の中心から等角度間隔をおいて放射状に延びる複数個のスポークの外端が接続されている、ことを特徴とする合成樹脂製スパウトが提供される。
【０００８】
好適には、該スポークは３乃至６個配設されている。該スポークの外端部は半径方向外側に向かって周方向両側に延出されると共に軸線方向両側に延出されているのが好都合である。好適実施形態においては、該円筒壁は該雄螺条部と該薄肉介在部との間に位置し且つ外周面には環状突条が形成されている突条部を含む。該スポークの各々の主部は下方に向かって漸次幅広になる上側面と下方に向かって漸次幅狭になる下側面とを有するのが好ましい。
【発明の効果】
【０００９】
本発明のスパウトにおいては、複数個のスポークの外端が円筒壁の薄肉介在部の内周面に接続させていることに起因して、円筒壁の薄肉介在部の剛性が増大され、かくして従来のスパウトに存在した上述したとおりの問題が解決される。
【図面の簡単な説明】
【００１０】
【図１】本発明に従って構成されたスパウトの斜面図。
【図２】図１に示すスパウトの正面図。
【図３】図１に示すスパウトの平面図。
【図４】図１に示すスパウトの底面図。
【図５】図１に示すスパウトの縦断面図。
【図６】図１に示すスパウトにおけるスポークの横断面図。
【図７】スポークの変形例の横断面図。
【図８】スポークの他の変形例の横断面図。
【図９】図１のスパウトと共にスパウトが装着された容器の一部及びスパウトに装着された外蓋を、一部を縦断面で示す正面図。
【発明を実施するための形態】
【００１１】
図１乃至図５を参照して説明すると、本発明に従って構成された、全体を番号２で示すスパウトは、ポリエチレン又はポリプロピレンの如き適宜の合成樹脂から射出成形することができる。かかるスパウト２は円筒壁４とこの円筒壁４の下端外周面から半径方向に延出した円環形状のフランジ６とを具備している。
【００１２】
図示のスパウト２における円筒壁４は軸線方向に見て上方から下方に順次に位置する上端部８、雄螺条部１０、突条部１２、薄肉介在部１４及び厚肉下部１６を有する。上端部８は円筒形状であり、その外周面及び内周面には螺条乃至突条等が形成されていない。雄螺条部１０の外周面には雄螺条１８が形成されている。突条部１２の外周面には周方向に連続して延在している突条２０が形成されている。図示の実施形態における突条２０はカブラ部と称されているものであり、円錐台形状の上面と実質上水平に延在する下面とを有する。薄肉介在部１４には、周方向に間隔をおいて複数個、図示の実施形態においては６個のラチェット爪２２が形成されている。ラチェット爪２２の各々は、図３において時計方向前側に位置する切り立った前面と時計方向後側に位置する緩やか後面とを有する。厚肉下部１６は比較的厚い肉厚を有し、その内径は上端部８、雄螺条部１０、突条部１２及び薄肉介在部１４の内径と実質上同一であるが、その外径は上端部８、雄螺条部１０、突条部１２及び薄肉介在部１４の外径よりも大きい。厚肉下部１６の外周面上端部は縦断面図において若干の円弧形状であって下方に向かって外径が漸次増大している。係る外周面上端部には周方向に間隔をおいて４個の係止突片２４が形成されている。
【００１３】
図３乃至図５を参照することによって明確に理解される如く、円筒壁４内には円筒壁４の中心から周方向に間隔をおいて放射状に伸びる複数個のスポーク２６が配設されている。図示の実施形態においては、円筒壁４の中心においてスポーク２６の内端が相互に接続されていて中心交点部２８が規定されている。スポーク２６の外端は、円筒壁４における薄肉介在部１４の内周面に接続されていることが重要である。スポーク２６は周方向に等角度間隔をおいて３個乃至６個配設されているのが好適である。図示の実施形態においては、周方向に１２０度の角度間隔をおいて３個のスポーク２６が配設されており、スポーク２６の各々は実質上水平に延在せしめられている。スポーク２６の各々の外端部３０は、半径方向外方に向かって周方向両側に延出されると共に軸線方向両側（即ち上方及び下方）に延出されて、円筒壁４の薄肉介在部１４の内周面に接続されているのが好都合である。スポーク２６の各々の主部、図示の実施形態においては上記中心交点部２８と外端部３０との間の部分は、円筒壁４内を通して注出される容器内容物の流動阻害を可及的に回避するために、下方に向かって漸次幅広になる上側面と下方に向かって漸次幅狭に成る下側面とを有するのが好都合である。スポーク２６の各々の主部の横断面形状の好適例としては、図６に図示する円形又は図７に図示する縦長（即ち軸線方向に長い）楕円形状、或いは図８に図示する如く、縦長で上端及び下端は鋭い縁である変形楕円形状を挙げることができる。
【００１４】
本発明に従って構成されたスパウト２においては、図５を参照することによって理解される如く、スポーク２６の各々の外端が円筒壁４の薄肉介在部１４の内周面に接続されており、スポーク２６によって薄肉介在部１４の剛性が増強されていることが留意されるべきである。薄肉介在部１４の剛性が増大せしめられている故に、円筒壁４が変形乃至傾斜して外蓋による円筒壁４の密封が毀損されることが充分に防止乃至抑制され、そしてまた薄肉介在部１４の外周面に形成されているラチェット爪２２が半径方向内側に変位されてその機能が毀損されてしまうことが充分に防止乃至抑制される。ラチェット爪２２の半径方向内側への変位防止乃至抑制の点から、ラチェット爪２２は、軸線方向に見てスポーク２６の上記主部に少なくとも部分的に重なり合うように配置されているのが好都合である。
【００１５】
図１乃至図８を参照して説明したとおりのスパウト２は、スポーク２６の中心交点部２８の上面から成形型（図示していない）内に溶融合成樹脂を射出することによって好都合に成形することができる。そして、図９に図示す如く、ポリエステルフィルム如き適宜の合成樹脂フィルム及び／又はアルミニウム箔の如き適宜の金属箔が積層された厚紙製容器３２（その一部のみを図９に図示している）に適用される。図９を参照して説明を続けると、図示の実施形態においては、容器３２の上面壁３４には円形開口３６が形成されている。スパウト２のフランジ６はその上面が容器３２の上面壁３４の内面に密接せしめられ、超音波溶着の如き適宜の様式によって上面壁３４の内面に固定される。スパウト２の円筒壁４は上面壁３４の円形開口３６を通って上方に突出する。円筒壁４の厚肉下部１６の下部の外径は上面壁３４の円形開口３６の内径と実質上同一でよい。円筒壁４の厚肉下部１６の外周面上端部に形成されている係止突片２４は、スパウト２のフランジ６を上面壁３４の内面に固定する前に、容器３２の円形開口３６からスパウト２が離脱してしまうことを一時的に阻止する。
【００１６】
容器３２に所要とおりに固定されたスパウト２の円筒壁４には、全体を番号３８で示す外蓋が装着される。ポリプロピレン或いはポリエチレンの如き適宜の合成樹脂から射出成形或いは圧縮成形することができる外蓋３８は、円形天面壁４０とこの天面壁４０の周縁から垂下するスカート壁４２を具備している。天面壁４０の内面には下方に突出する環状シール片４４が形成されている。図示の実施形態においてはスカート壁４２の上端部外周面は下方に向かって外径が漸次増大する円錐台形状であり、上端部以外の外周面は略円筒形状である。スカート壁４２の下部には周方向に延在する破断可能ライン４６が形成されており、スカート壁４２は破断可能ライン４６よりも上方の主部４８と破断可能ライン４６よりも下方のタンパーエビデント裾部５０に区画されている。破断可能ライン４６自体は周方向に間隔をおいて周方向に延びる複数個のスリット５２とスリット５２間に位置する複数個の橋絡部５４とから構成されている。スカート壁４２の主部４８の内周面には雌螺条５６が形成されており、タンパーエビデント裾部５０の内周面には周方向に間隔をおいて複数個のラチェット爪５８が形成されている。ラチェット爪５８は図９において上方から見て時計方向前側に位置する緩やかな前面と時計方向後側に位置する切り立った後面とを有する。スカート壁４２の主部４８の外周面には、凹凸が繰り返す所謂ナール６０が形成されている。
【００１７】
スパウト２の円筒壁４に外蓋３８を装着してスパウト２を密封する際には、円筒壁４に外蓋３８を被嵌し、図９において上方から見て時計方向に回転せしめる。かくすると、円筒壁４の雄螺条部１０に形成されている雄螺条１８に外蓋３８の雌螺条５６が螺合され、外蓋３８は回転と共に下降せしめられる。外蓋３８が図９に図示する所要位置まで下降せしめられると、外蓋３８の天面壁４０の内面に形成されている環状シール片４４がスパウト２の円筒壁４内に進入し、円筒壁４の内周面上部に密接せしめられ、これによってスパウト２が密封される。外蓋３８のタンパーエビデント裾部５０の内周面に形成されているラチェット爪５８はその緩やかな前面がスパウト２の円筒壁４の薄肉介在部１４の外周面に形成されているラチェット爪２２の緩やかな後面に作用してこれを通過する。
【００１８】
容器３２の内容物を消費する際には、外蓋３８を図９において上方から見て反時計方向に回転せしめる。かくすると、スパウト２の雄螺条１８と外蓋３８の雌螺条５６との協働によって外蓋３８は回転と共に上昇せんとする。一方、外蓋３８のスカート壁４２のタンパーエビデント裾部５０は、ラチェット爪５８の切り立った後面とラチェット爪２２の切り立った前面との協働によって回転が阻止され、従って破断可能ライン４６における橋絡部５４に応力が生成され、橋絡部５４が破断されてタンパーエビデント裾部５０がスカート壁４２の主部４８から分離される。しかる後においては、タンパーエビデント裾部５０を残して外蓋３８は回転と共に上昇せしめられてスパウト２の円筒壁４から離脱され、スパウト２が開封される。次いで、容器３２を傾動せしめてスパウト２の円筒壁４内を通して容器３２の内容物を排出することができる。スパウト２の円筒壁４内に配設されているスポーク２６は図６乃至図８に図示する如く、下方に向かって漸次幅広になる上側面と下方に向かって漸次幅狭に成る下側面とを有する故に、スポーク２６による内容物の流動阻害が可及的に回避され、内容物を円筒壁内を通して注出する際の内容物の飛散が充分に防止乃至抑制される。
【符号の説明】
【００１９】
２：スパウト
４：円筒壁
６：フランジ
１０：螺条部
１２：突条部
１４：薄肉介在部
１６：厚肉下部
１８：雄螺条
２０：突条
２２：ラチェット爪
２６：スポーク
３２：容器
３８：外蓋
【図１】
0005411726.tif 000002
【図２】
0005411726.tif 000003
【図３】
0005411726.tif 000004
【図４】
0005411726.tif 000005
【図５】
0005411726.tif 000006
【図６】
0005411726.tif 000007
【図７】
0005411726.tif 000008
【図８】
0005411726.tif 000009
【図９】
0005411726.tif 000010